(57)【要約】【課題】ディスプレイ回転装置を提供する。【解決手段】スタンドと、スタンドに回転可能に結合してディスプレイを支持するガイドと、スタンドに一端が固定されて回転軸を有するモータと、回転軸に繋がって選択的にモータの回転力を伝達する回転力伝達部材を含み、回転力伝達部材は自動回転の際モータの回転力がガイドに伝達されるようにするディスプレイ回転装置は、回転子及び減速ギアの損傷を防止できる。【選択図】図２
2007206700.tif 000002
【特許請求の範囲】
【請求項１】
スタンドと、
前記スタンドに回転可能に結合してディスプレイを支持するガイドと、
前記スタンドに一端が固定されて回転軸を有するモータと、
前記回転軸に繋がって選択的に前記モータの回転力を伝達する回転力伝達部材を含み、
前記回転力伝達部材は、自動回転の際前記モータの回転力が前記ガイドに伝達されるようにするディスプレイ回転装置。
【請求項２】
前記回転力伝達部材は、前記回転軸に結合するソレノイドスイッチと、前記ソレノイドスイッチ及び前記ガイドに両端部がそれぞれ結合されるクラッチを含み、
自動回転の際前記ソレノイドスイッチは前記クラッチを移動させて前記モータの回転力が前記クラッチを介して前記ガイドに伝達されるようにする請求項１に記載のディスプレイ回転装置。
【請求項３】
前記回転力伝達部材は、前記回転軸に結合する垂直カムと、前記垂直カム及び前記ガイドに両端部がそれぞれ結合されるクラッチを含み、
自動回転の際前記垂直カムは前記クラッチを移動させて前記モータの回転力が前記クラッチを介して前記ガイドに伝達されるようにする請求項１に記載のディスプレイ回転装置。
【請求項４】
前記回転力伝達部材は、前記ガイドと前記回転軸にそれぞれ繋がる電動クラッチを含み、
自動回転の際前記電動クラッチは前記モータの回転力を前記ガイドに伝達されるようにする請求項１に記載のディスプレイ回転装置。
【請求項５】
前記スタンドは、前記駆動装置が固定される挿入ホール及び前記挿入ホールを中心として一定した回転角を具備する回転ホールを有し、
前記回転ホールには固定部材が挿入されて前記ガイドに固定される請求項２乃至４のいずれか一項に記載のディスプレイ回転装置。
【請求項６】
前記ガイドと前記スタンドの間にはベアリングが介在される請求項２乃至４のいずれか一項に記載のディスプレイ回転装置。
【請求項７】
前記スタンドと前記固定部材の間にはベアリングが介在される請求項５に記載のディスプレイ回転装置。
【請求項８】
前記回転軸は、外周面に係止溝を有し、
前記電動クラッチは、前記ガイドに繋がり内部空間を具備して前記回転軸が挿入されるシリンダと、前記シリンダの内部に位置して自動回転の際前記係止溝に係止されて前記シリンダの内周面を加圧する係止部材を含む請求項４に記載のディスプレイ回転装置。
【請求項９】
前記係止部材は、前記係止溝に係止される軸係止部及び前記軸係止部と一体に形成されるシリンダ係止部を具備し、
前記シリンダ係止部は自動回転の際、前記シリンダの内周面を加圧する切開部を具備する請求項８に記載のディスプレイ回転装置。
【請求項１０】
前記回転軸にはパワースプリングが結合されて前記回転軸の回転方向と反対方向の回転力を提供する請求項９に記載のディスプレイ回転装置。
【発明の詳細な説明】
【技術分野】
【０００１】
本発明は、ディスプレイ回転装置に関する。
【背景技術】
【０００２】
最近、コンピュータモニタ、テレビなどのような各種ディスプレイの大きさ及び重量が大きくなり、ディスプレイを使用者の方向に回転できる回転装置が広く用いられている。このような回転装置は、モータなどを用いて自動でディスプレイの方向が使用者に向けるようにすることができる。
【０００３】
図１は、従来のディスプレイの回転装置を示す概略図である。図１を参照すると、従来のディスプレイの回転装置は、床などに固定されるスタンド１１と、スタンド１１に一端部が固定されて他端部はシャフト１７に繋がるモータ１３を含む。 モータ１３は、示されていないが、外部制御装置に繋がって、使用者がリモートコントローラ（ｒｅｍｏｔｅ ｃｏｎｔｒｏｌｌｅｒ）などを用いてディスプレイ１５の姿勢を制御する。そして、モータ１３は大きい重量のディスプレイ１５を低速で回転する必要性があるため内部に減速ギアを具備する。
【０００４】
このようなディスプレイ回転装置は、モータ１３の駆動のために外部電源を用いるが、ディスプレイの回転装置に電源が供給されない場合には使用者がディスプレイ１５を手で回転させなければならない。しかし、従来の回転装置の装着されたディスプレイ１５を受動で回転させる場合にはディスプレイ１５ だけでなくディスプレイ１５とモータ１３を連結するシャフト１７も同時に回転するので内部の減速ギア及びモータの回転子（ｒｏｔｏｒ）が損傷されるという問題点がある。
【発明の開示】
【発明が解決しようとする課題】
【０００５】
本発明は、モータの減速ギア及び回転子が損傷されることを防止することができるディスプレイ回転装置を提供する。
【課題を解決するための手段】
【０００６】
スタンドと、スタンドに回転可能に結合してディスプレイを支持するガイドと、スタンドに一端が固定されて回転軸を有するモータと、回転軸に繋がって選択的にモータの回転力を伝達する回転力伝達部材を含み、回転力伝達部材の自動回転の際モータの回転力がガイドに伝達されることになる。
【０００７】
本発明によるディスプレイ回転装置の実施例は次のような特徴を一つまたはそれ以上具備することができる。例えば、回転力伝達部材は、回転軸に結合するソレノイドスイッチと、ソレノイドスイッチ及びガイドに両端部がそれぞれ結合されるクラッチを含むことができ、自動回転の際ソレノイドスイッチはクラッチを移動させてモータの回転力がクラッチを介してガイドに伝達されるようにする。
【０００８】
回転力伝達部材は、回転軸に結合する垂直カムと、垂直カム及びガイドに両端部がそれぞれ結合されるクラッチを含むことができ、自動回転の際、垂直カムはクラッチを移動させてモータの回転力がクラッチを介してガイドに伝達されるようにするディスプレイ回転装置が提供される。
【０００９】
回転力伝達部材は、ガイドと回転軸にそれぞれ繋がる電動クラッチを含むことができ、自動回転の際電動クラッチはモータの回転力をガイドに伝達することができる。
【００１０】
スタンドは、駆動装置が固定される挿入ホール及び挿入ホールを中心として一定した回転角を具備する回転ホールを有し、回転ホールには固定部材が挿入されてガイドに固定されることができる。そして、ガイドとスタンドの間及び/またはスタンドと固定部材の間にはベアリングが介在されることができる。
【００１１】
回転軸は、外周面に係止溝を有し、電動クラッチはガイドに繋がって内部空間を具備して回転軸が挿入されるシリンダと、シリンダの内部に位置して自動回転の際に係止溝にかかってシリンダの内周面を加圧する係止部材を含むことができる。そして、係止部材は係止溝にかかる軸係止部及び軸係止部と一体に形成されるシリンダ係止部を具備し、シリンダ係止部は自動回転の際シリンダの内周面を加圧する切開部を具備することができ、回転軸にはパワースプリングが結合されて回転軸の回転方向と反対方向の回転力を提供することもできる。
【発明の効果】
【００１２】
本発明は、モータの減速ギア及び回転子が損傷されることを防止できるディスプレイ回転装置を提供することができる。
【発明を実施するための最良の形態】
【００１３】
以下、本発明によるディスプレイ回転装置の実施例を添付図面を参照して詳しく説明するが、添付図面を参照して説明することにおいて、同一であるか対応する構成要素は同一な図面番号を付与してこれに対する重複される説明は略する。
【００１４】
本発明によるディスプレイ回転装置の実施例を説明することに先立って、先ず自動回転及び受動回転の定義に対して説明する。自動回転とは、ディスプレイ回転装置のモータの回転力によりディスプレイが回転することを意味する。そして、受動回転とは、使用者などが直接ディスプレイまたはこれを支持するガイドなどを回転させることを意味する。また、待機状態とは、ディスプレイ回転装置が自動回転または受動回転されていない状態、すなわち、モータまたは使用者などにより回転するための待機状態を意味する。
【００１５】
図２を参照すると、本発明の一実施形態によるディスプレイ回転装置は、スタンド３１と、スタンド３１に回転可能に結合してディスプレイ（図示せず）を支持するガイド３９と、スタンド３１に固定されて回転軸４４を有するモータ４３と、回転軸４４に結合するソレノイドスイッチ６１と、ソレノイドスイッチ６１及びガイド３９に両端部がそれぞれ結合されるクラッチ５１を含む。そして、ガイド３９とスタンド３１及びスタンド３１とブラケット３７の間にはそれぞれ上部ベアリング４７及び下部ベアリング４９が介在されている。ブラケット３７とガイド３９は固定部材３５により結合されている。
【００１６】
本実施例によるディスプレイ回転装置は、受動回転の際、クラッチ５１が相互離隔されて、クラッチ５１の被動軸５５が回転し、モータ４３の回転軸４４ 及び減速ギア（図示せず）は回転しないので減速ギアの損傷を防止できる。そして、自動回転の際には、ソレノイドスイッチ６１がクラッチ５１を移動させて相互かみ合うようにしてモータ４３の回転力がクラッチ５１を介してガイド３９に伝達される。したがって、自動回転の際にはソレノイドスイッチ６１の作動に応じてモータ４３の回転力がクラッチ５１を介してガイド３９に伝達される。
【００１７】
ガイド３９は、モータ４３の回転力による自動回転の際に、クラッチ５１の駆動軸５３及び被動軸５５、ブラケット３７及び固定部材３５と共に回転する。そして、使用者による受動回転の際には、ガイド３９が被動軸５５、ブラケット３７及び固定部材３５と共に回転する。ガイド３９にはテレビまたはモニタなどのようなディスプレイ（図示せず）が装着されるかまたは位置して、ガイド３９の回転に応じてディスプレイの方向が設定される。そして、ガイド３９は上部ベアリング４７を媒介としてスタンド３１に結合されて、クラッチ５１の駆動軸５３及び被動軸５５が相互離隔されている場合だけでなく相互かみ合っている場合にもディスプレイを一定した高さに固定する。
【００１８】
ガイド３９の中央には、クラッチ５１及びソレノイドスイッチ６１が位置する回転グルーブ４１が形成されている。回転グルーブ４１の上面にはクラッチ５１の被動軸５５が固定されている。回転グルーブ４１はスタンド３１の挿入ホール３２と連通される。
【００１９】
ガイドの形状は、円板または四角形状の板を具備することができるが、ディスプレイが位置されることや固定されることができればどんな形状であっても関係ない。また、設計条件に応じてガイドはディスプレイと一体に形成されることもできる。
【００２０】
スタンド３１は、床または壁などに固定されてディスプレイ回転装置を支持する。スタンド３１の中央には挿入ホール３２が形成されていて、上記挿入ホール３２にはモータ４３が挿入されて固定される。上記挿入ホール３２はガイド３９の回転グルーブ４１と連通され、上記挿入ホール３２と上記回転グルーブ４１はディスプレイ回転装置の回転中心となる。
【００２１】
そして、挿入ホール３２を中心として円周方向には、図４に示すように、回転ホール３３が多数個形成されている。回転ホール３３は、上記挿入ホール３２を中心として同一な中心角で多数個形成されている。回転ホール３３には固定部材３５が挿入される。したがって、ガイド３９と一体に回転する固定部材３５は回転ホール３３によりガイドされて回転することになり、固定部材３５及びガイド３９の回転できる角度は回転ホール３３の中心角により決まる。
【００２２】
モータ４３は、スタンド３１の挿入ホール３２に挿入及び固定される。また、ソレノイドスイッチ６１と結合される回転軸４４を具備する。回転軸４４はモータ４３の内部のコイルまたはマグネットなどと共に回転子（ｒｏｔｏｒ）を構成する。また、モータ４３はディスプレイの回転速度を減らしてトルク（ｔｏｒｑｕｅ）を増加させるために減速ギア（図示せず）を具備する。減速ギアはモータ４３により発生する高速の回転速度を減速させて大きいトルクを得るために使用され、ギア列（ｇｅａｒ ｔｒａｉｎ）で構成される。
【００２３】
モータ４３としては、ガイド３９に回転力を提供することができればどんなものでも可能である。例えば、直流モータだけでなく交流モータなどのような多様な形態のモータが使用されることができる。
【００２４】
ソレノイドスイッチ（ｓｏｌｅｎｏｉｄ ｓｗｉｔｃｈ）６１は一定した電流が印加されると、図３ｂに示すように、電磁気的な力によりクラッチ５１の駆動軸５３を垂直に上昇させて被動軸５５と相互かみ合うようにする。すなわち、ソレノイドスイッチ６１は自動回転の際に作動してモータ４３の回転力がクラッチ５１の駆動軸５３及び被動軸５５を介してガイド３９に伝達される。そして、ソレノイドスイッチ６１に電流の供給が遮断されると、図３ａに示すように、クラッチ５１の駆動軸５３及び被動軸５５が相互離隔される。よって、ディスプレイ回転装置の受動回転の際にはソレノイドスイッチ６１が作動しないので被動軸５５及びガイド３９は回転するが、駆動軸５３及びモータ４３の回転軸４４は回転しない。したがって、本実施例によるディスプレイ回転装置はモータの減速ギア及び回転子の損傷を防止できるようになる。
【００２５】
クラッチ５１は、ソレノイドスイッチ６１と結合される駆動軸５３及びガイド３９と結合される被動軸５５、そして駆動軸５３及び被動軸５５の一端部にそれぞれ形成された一対のディスク５７を含む。
【００２６】
駆動軸５３はソレノイドスイッチ６１と結合されていて、自動回転の際にソレノイドスイッチ６１の作動で上昇して、図３ｂに示すように、被動軸５５のディスク５７と駆動軸５３のディスク５７がかみ合うことになる。これにより、自動回転の際モータ４３の駆動力がガイド３９に伝達される。
【００２７】
被動軸５５はガイド３９と結合されていて、ソレノイドスイッチ６１に電流が供給されない場合には図３ａに示すように駆動軸５３と離隔される。
【００２８】
ディスク５７は、駆動軸５３及び被動軸５５の一端部にそれぞれ相互対向されるように位置し、ソレノイドスイッチ６１の作動によりかみ合うことになる。ソレノイドスイッチ６１によりディスク５７が相互噛合し、これにより、駆動軸５３は被動軸５５に回転力を提供することができる。
【００２９】
固定部材３５は、スタンド３１の回転ホール３３を貫いてガイド３９の下端部に挿入され固定される。固定部材３５はガイド３９及びブラケット３７と共に回転し、ガイド３９をスタンド３１に対して回転可能に支持する。固定部材３５は、図４に示すように回転ホール３３に挿入されているし、回転ホール３３は固定部材３５の回転角度を制限する。
【００３０】
ブラケット３７は、固定部材３５と下部ベアリング４９の間に介在されて固定部材３５を支持する。ブラケット３７は固定部材３５と共に回転する。そして、スタンド３１とガイド３９の間には上部ベアリング４７が介在されている。下部ベアリング４９はブラケット３７の回転を円滑にして、上部ベアリング４７はガイド３９の回転を円滑にする。上部ベアリング４７及び下部ベアリング４９としてはボールベアリングなどの公知のベアリングを使用することができる。
【００３１】
以下では、本実施例によるディスプレイ回転装置の受動回転及び自動回転に対して図２乃至図４を参照して説明する。
【００３２】
図３ａを参照すると、待機状態の間にはクラッチ５１の駆動軸５３と被動軸５５が相互分離されている。ディスプレイは待機状態の間にガイド３９により支持される。この際、使用者などがディスプレイを受動回転しようとする場合にはソレノイドスイッチ６１が作動しないので駆動軸５３と被動軸５５が相互分離された状態でガイド３９ 及びこれと結合された被動軸５５、固定部材３５、そしてブラケット３７が回転する。よって、モータ４３の回転軸４４及びこれと繋がった減速ギアは、受動回転により回転しないのでその損傷を防止できる。ガイド３９の回転できる角度は、図４に示す回転ホール３３の中心角により決定される。
【００３３】
そして、ディスプレイを自動回転しようとする場合、モータ４３の駆動と共にソレノイドスイッチ６１が作動するが、これにより図３ｂに示すようにクラッチ５１の駆動軸５３が上昇して被動軸５５とかみ合うことになる。そしてモータ４３が作動するとモータの駆動力がクラッチ５１を介してガイド３９に伝達され、これによりガイド３９、クラッチ５１の駆動軸５３及び被動軸５５、ブラケット３７、そして固定部材３５が回転する。モータ４３が作動する間にはソレノイドスイッチ６１が継続作動状態にあるので駆動軸５３と被動軸５５にそれぞれ繋がったディスク５７は互いにかみ合っている。自動回転が終了すると、モータ４３及びソレノイドスイッチ６１が作動を止めて図３ａのように待機状態になる。
【００３４】
以下では、本発明の別の実施形態によるディスプレイ回転装置の実施例を図５ 、図６ａ及び図６ｂを参照して説明する。
【００３５】
図５を参照すると、本発明の別の実施形態によるディスプレイ回転装置の実施例は、上記図２ないし図４を参照して説明した本発明の一実施例によるディスプレイ回転装置の実施例とは、ソレノイドスイッチ６１が垂直カム６３に変更されたことを除き以外の構成は同一であるか類似している。したがって、以下では構成上の相違点を中心として説明する。
【００３６】
本実施例による垂直カム６３は、シリンダを対角線に切ったものを張り合わした上部カム６４及び下部カム６５で構成され、上部カム６４はクラッチ５１の駆動軸５３に繋がり、下部カム６５はモータ４３の回転軸４４にそれぞれ繋がっている。モータ４３の回転により下部カム６５が回転しながら上部カム６４を垂直に上昇させ、これによりクラッチ５１のディスク５７が相互かみ合うことになる。そして垂直カム６３は、図５に示すようにガイド３９に形成された内周面６６により拘束されるので、下部カム６５の回転で上部カム６４が内周面６６により拘束された状態で直線運動をすることができる。
【００３７】
以下では、本実施例によるディスプレイ回転装置の作動に対して図５及び図６ａと図６ｂを介して説明する。
【００３８】
図６ａのように、ディスプレイ回転装置が待機状態にある間にはクラッチ５１が分離されて駆動軸５３と被動軸５５が離隔された状態にある。待機状態からディスプレイを受動で回転しようとする場合には使用者などがディスプレイまたはガイド３９を回転させるが、この際クラッチ５１が分離された状態にあるので回転軸４４及びモータ４３に具備された減速ギアは回転しなくなりその損傷が防止できる。そして、受動回転によりディスプレイ、ガイド３９、被動軸５５、固定部材３５及びブラケット３７が回転する。また、ディスプレイの回転できる角度はスタンド３１に形成された回転ホール３３により決定される。
【００３９】
そして、自動回転の際には、モータ４３が作動して回転軸４４と結合された下部カム６５を回転させるが、これにより下部カム６５と接している上部カム６４が内周面６６によりガイドされて垂直方向に上昇し、これにより、図６ｂに示すように、クラッチ５１の駆動軸５３及び被動軸５５に形成されたディスク５７がかみ合うことになる。したがって、モータ４３の回転力はクラッチ５１を介してガイド３９に伝達されてガイド３９及びディスプレイが回転することになる。
【００４０】
ガイド３９及びディスプレイの回転が完了された後にはモータ４３の回転軸４４に結合されたパワースプリング（ｐｏｗｅｒ ｓｐｒｉｎｇ）により回転軸４４が回転方向と反対方向の回転力を受けることになり、これにより回転軸４４がわずかな角度で回転することで下部カム６５が上部カム６４から分離され、クラッチ５１の駆動軸５３及び被動軸５５も分離されて待機状態にあることになる。
【００４１】
以下では、本発明の別の実施例によるディスプレイ回転装置の実施例を図７及び図８ａと図８ｂを参照して説明する。
【００４２】
図７及び図８ａと図８ｂを参照すると、本発明の別の実施例によるディスプレイ回転装置は、クラッチを具備しないでモータ４３の回転軸４４が電動クラッチ８０によりガイド３９に繋がっていることを除き図２ないし図４に示した実施例の構成と同一であるかまたは対応される。したがって以下では構成上の相違点を中心として本発明の別の実施例によるディスプレイ回転装置の実施例を説明する。
【００４３】
モータ４３の回転軸４４は、図８ａ及び図８ｂに示すようにその外周面に一定した大きさの係止溝６７を有する。係止溝６７は一定した間隔を有し三つが回転軸４４の外周面に形成されていて、一定した深みを有するので係止部材６９の軸係止部７１の端部が係止されることができる。そして回転軸４４にはパワースプリング（ｐｏｗｅｒ ｓｐｒｉｎｇ）（図示せず）が結合されているが、パワースプリングは回転軸４４の回転方向と反対方向の回転力を提供する。
【００４４】
電動クラッチ８０は、図７に示すように被動軸５５と一体に形成されたシリンダ７７を具備し、シリンダ７７の内部には係止部材６９が一定した間隔で配列されている。係止部材６９は、シリンダ７７の内部にその一部が挿入された回転軸４４の回転によりシリンダ７７の内周面７９を加圧することで回転軸４４の回転が被動軸５５を介してガイド３９に伝達される。
【００４５】
係止部材６９は、図８ａ及び図８ｂに示すように、径が互いに異なる軸係止部７１及びシリンダ係止部７３が相互結合されている。
【００４６】
軸係止部７１はシリンダ係止部７３に比して小さい直径を持った半円形状の横断面有し、図８ａに示すように待機状態及び受動回転の際には回転軸４４から離隔される。そして自動回転の際、軸係止部７１は図８ｂに示すように回転軸４４の係止溝６７に係止され、これによりシリンダ係止部７３がシリンダ７７の内周面７９を加圧することになる。
【００４７】
シリンダ係止部７３は軸係止部７１に比して大きい径を有する半円形状の横断面を有し、一側には平たい面を有する切開部７５を具備する。シリンダ係止部７３は軸係止部７１と一体に形成され、図８ｂに示すように、回転軸４４の回転で係止溝６７に係止された軸係止部７１により切開部７５の一端がシリンダ７７の内周面７９を加圧する。これにより回転軸４４の回転力が係止部材６９を介してシリンダ７７に伝達される。シリンダ７７と一体に形成された被動軸５５によりガイド３９に回転力が伝達される。
【００４８】
シリンダ７７は、下端部の開放された円筒形状を有し、上面はガイド３９と結合された被動軸５５と一体に形成されている。シリンダ７７は内部空間を規定する内周面７９を有するが、内周面７９は切開部７５の一端部（図８ｂ）と接する。
【００４９】
以下では、図７及び図８ａと図８ｂを参照して本実施例によるディスプレイ回転装置の作動に対して説明する。
【００５０】
待機状態では、図８ａに示すように、係止溝６７に軸係止部７１がかからないで離隔されている。そして、シリンダ係止部７３の切開部７５の両端部はシリンダ７７の内周面７９と接するが加圧はしない。したがってディスプレイを受動で回転するとガイド３９、被動軸５５及びこれと結合されたシリンダ７７、固定部材３５及びブラケット３１が回転する。これによりモータ４３の回転軸４４及びこれと結合された減速ギアは回転しないので受動回転の際のこれらの損傷を防止できるようになる。
【００５１】
そして自動回転の際には、モータ４３が作動して回転軸４４の回転により係止溝６７に係止部材６９の軸係止部７１が係止され、これによりシリンダ係止部７３の切開部７５の一端がシリンダ７７の内周面７９を加圧する。この際、切開部７５と内周面７９の間には一定した傾斜角度（ａ）が形成される。したがって係止部材６９は自動回転の際回転軸４４とシリンダ７７にそれぞれ係止されて回転軸４４の回転力を被動軸５５の結合されたシリンダ７７に伝達する。
【００５２】
そして自動回転が終了すると、回転軸４４にはパワースプリングにより回転方向とは反対方向の弾性復元力が作用して図８ａに示すように待機状態に復帰することになる。
【００５３】
以上で本発明の実施例を説明したが、本発明の多様な変更例と修正例も本発明の技術的思想を具現する限り一本発明の範囲に属するものに解釈されるべきである。
【図面の簡単な説明】
【００５４】
【図１】従来のディスプレイ回転装置の概略図である。
【図２】ソレノイドスイッチを用いた本発明の一実施例によるディスプレイ回転装置の断面図である。
【図３ａ】クラッチが相互離隔されている状態を示す概略図である。
【図３ｂ】ソレノイドスイッチが作動してクラッチが相互かみ合っている状態を示す概略図である。
【図４】スタンドに固定部材が挿入された状態を示す平面図である。
【図５】垂直カムを用いた本発明の別の実施例によるディスプレイ回転装置の断面図である。
【図６ａ】クラッチが相互離隔されている状態を示す概略図である。
【図６ｂ】垂直カムが作動してクラッチが相互かみ合っている状態を示す概略図である。
【図７】電動クラッチを用いた本発明のまた別の実施例によるディスプレイ回転装置の断面図である。
【図８ａ】回転軸の係止溝に係止部材がかかっていない状態を示す概略図である。
【図８ｂ】回転軸の係止溝に係止部材がかかって内周面を加圧する状態を示す概略図である。
【符号の説明】
【００５５】
３１   スタンド   
３２   挿入ホール
３３   回転ホール    
３５   固定部材
３７   ブラケット    
３９   ガイド
４１   回転グルーブ   
４３   モータ
４４   回転軸    
４７   上部ベアリング
４９   下部ベアリング
５１   クラッチ
５３   駆動軸
５５   被動軸
５７   ディスク    
６１   ソレノイドスイッチ
６３   垂直カム    
６４   上部カム
６５   下部カム      
６６   内周面
６７   係止溝  
６９   係止部材
７１   軸係止部  
７３   シリンダ係止部
７５   切開部   
７７   シリンダ  
７９   内周面
８０   電動クラッチ
【図１】
2007206700.tif 000003
【図２】
2007206700.tif 000004
【図３ａ】
2007206700.tif 000005
【図３ｂ】
2007206700.tif 000006
【図４】
2007206700.tif 000007
【図５】
2007206700.tif 000008
【図６ａ】
2007206700.tif 000009
【図６ｂ】
2007206700.tif 000010
【図７】
2007206700.tif 000011
【図８ａ】
2007206700.tif 000012
【図８ｂ】
2007206700.tif 000013